(57)【要約】【課題】  ゴミ収集日に玄関先等に出されるゴミ収集袋の特にカラスよけとして極めて有効なカラス対策用の折畳み式ボックス形カバーの提供。【解決手段】  多数のパンチングが施された多孔板からなる正面パネル、背面パネル、両側面パネル及び蓋板パネルがそれぞれ重合して折り畳めるように結束バンドなどによりヒンジ連結されて構成された底面開放の蓋付きの矩形ボックス本体からなり、両側面パネルは片側２枚一対の分割パネルが谷折り屈曲自在にヒンジ連結され、背面パネルの上端に蓋板パネルが跳ね上げ開閉自在にヒンジ連結された構造となしたことを特徴とする。【選択図】  図１
2020040756.tif 000002
【特許請求の範囲】
【請求項１】
ゴミ収集袋の保護カバーとして使用する底面開放のゴミ収集袋被せ形であって、多数のパンチングが施された多孔板からなる正面パネル、背面パネル、両側面パネル及び蓋板パネルがそれぞれ重合して折り畳めるようにヒンジ連結されて、底面開放の蓋付きの矩形ボックス本体が構成され、前記両側面パネルは片側２枚一対の分割パネルの相対向する側縁部を幅方向内側に谷折り屈曲自在にヒンジ連結され、背面パネルの上端に前記蓋板パネルが跳ね上げ開閉自在にヒンジ連結された構造となしたことを特徴とする折畳み式ボックス形カバー。
【請求項２】
前記折畳み式ボックス形カバーを構成する正面パネル、背面パネル、両側面パネル及び蓋板パネルには、パンチングが施された軽量アルミ複合材、同合成樹脂製板のいずれかを単独もしくは組み合わせて用いることを特徴とする請求項１に記載の折畳み式ボックス形カバー。
【請求項３】
前記折畳み式ボックス形カバーを構成する正面パネル、背面パネル、両側面パネル及び蓋板パネルのヒンジ連結手段として、各パネルのパンチング孔を利用し結束バンド、チェーン、ワイヤ、紐などのいずれかを用いてヒンジ連結する方式を用いることを特徴とする請求項１又は２に記載の折畳み式ボックス形カバー。
【発明の詳細な説明】
【技術分野】
【０００１】
本発明は、主として一般家庭用のゴミ収集袋を対象にした折畳み式ボックス形カバーに係り、より詳しくは例えばゴミ収集日に玄関先や道路脇等に出されるゴミ収集袋の特にカラスよけとして極めて有効で、かつ衛生的で、しかも折り畳み自在のボックス形カバーに関するものである。
【背景技術】
【０００２】
従来、特に一般家庭用のゴミは、専用のゴミ収集袋に収納してゴミ収集日（曜日等）に玄関先や道路脇等に出しておくのが一般的であり、又、マンション等の集合住宅の場合は専用のボックス型ゴミステーション（特開２００１−２１４５２０号公報、特許第３６３７１９３号公報等参照）を利用するのが一般的である。
このうち、専用のゴミ収集袋にゴミを収納してゴミ収集日に玄関先や道路脇等に出しておく場合、ゴミが充填されたゴミ収集袋を、口を閉じた状態で玄関先や道路脇等に出しておくと、カラスなどに襲撃されて袋の中のゴミが散乱して放置された状態となることがあり、ごみ収集作業に支障をきたすのみならず、衛生上も好ましくない。そこで、カラスなどによるゴミ収集袋の襲撃やゴミの散乱を防ぐ対策として、例えば玄関先や道路脇に置いたゴミ収集袋に市販されているネットを被せておく方法がある。しかし、特にカラス対策としてとられる前記ネットを用いる方法は、ゴミ収集袋に被せるようにネットをかけておくだけではカラスによりネットが破られたり取り除かれて、袋内のゴミがあさられて散乱することがあり、その対策として何らかの手段でネットを固定したり簡単に破られないようにする必要がある。一方、ボックス型ゴミステーションの場合は、一つのゴミステーションに複数のゴミ収集袋を投入して収納できる大型のゴミ収集ステーションであり、前記したゴミ収集日にゴミ収集袋を各家庭の玄関先や道路脇等に出して置く方式とはその機能を異にするものである。
【先行技術文献】
【特許文献】
【０００３】
【特許文献１】特許第３６３７１９３号公報
【特許文献２】特開２００１−２１４５２０号公報
【発明の概要】
【発明が解決しようとする課題】
【０００４】
前記した専用のゴミ収集袋にゴミを収納してゴミ収集日に玄関先や道路脇等に出しておくゴミ回収方式と、専用の大型のボックス型ゴミステーションによるゴミ回収方式のうち、特に前者の方式、即ち、ゴミ収集袋を玄関先や道路脇等に出しておくゴミ回収方式の場合の、カラスなどによるゴミ収集袋の襲撃やゴミの散乱を防ぐ対策としてとられているネットを用いる方法は、前記のように単にネットを被せておくだけではその効果を十分に発揮することができない上、カラスなどによりネットが破られたり取り除かれないように何等かの対策をこうじる必要があるなど、特にカラス対策としては有効性に欠け不十分である。又、ゴミ収集日に各家庭の玄関先や道路脇等に一斉にゴミ収集袋を出しておく方式は、前記したようにカラスなどに襲撃されて袋の中のゴミが散乱して放置されたりすると、ごみ収集作業に支障をきたすのみならず、衛生面でも好ましくないという問題に加え、景観上も好ましくないといった問題がある。
【０００５】
本発明は、前記した従来の問題を解消すべくなされたもので、専用のゴミ収集袋にゴミを収納して玄関先や道路脇等に出しておくゴミ回収方式における、特にカラスなどによるゴミ収集袋の襲撃やゴミの散乱を防ぐ対策として極めて有効性に富み、かつ衛生面や景観上などの問題も解消できる折畳み式ボックス形カバーを提供しようとするものである。
【課題を解決するための手段】
【０００６】
本発明に係る折畳み式ボックス形カバーは、ゴミ収集袋の保護カバーとして使用する底面開放のゴミ収集袋被せ形であって、多数のパンチングが施された多孔板からなる正面パネル、背面パネル、両側面パネル及び蓋板パネルがそれぞれ重合して折り畳めるようにヒンジ連結されて、底面開放の蓋付きの矩形ボックス本体が構成され、前記両側面パネルは片側２枚一対の分割パネルの相対向する側縁部を幅方向内側に谷折り屈曲自在にヒンジ連結され、背面パネルの上端に蓋板パネルが跳ね上げ開閉自在にヒンジ連結された構造となしたことを特徴とするものである。
【０００７】
又、前記蓋付きの矩形ボックス本体を構成する正面パネル、背面パネル、両側面パネル及び蓋板パネルには、パンチングが施された軽量アルミ複合材、同合成樹脂製板のいずれかを単独もしくは組み合わせて用いることを好ましい態様とするものである。
【０００８】
さらに、前記蓋付きの矩形ボックス本体を構成する正面パネル、背面パネル、両側面パネル及び蓋板パネルのヒンジ連結手段としては、各パネルのパンチング孔を利用し結束バンド、チェーン、ワイヤ、紐などのいずれかを用いてヒンジ連結する方式を用いることを好ましい態様とするものである。
【発明の効果】
【０００９】
本発明の折畳み式ボックス形カバーは、全面にパンチング加工が施された正面パネル、背面パネル、両側面パネルとから構成される底面（床面）開放形の矩形ボックス本体と該ボックス本体の上面開口部を開閉する蓋板パネルがそれぞれ重合して折り畳めるようにパンチング孔と結束バンドなどによりヒンジ連結されて構成されているので、当該ボックス形カバーの組み立て、折り畳みが簡易迅速にかつ確実に行えるとともに、各パネルを重ね合わせることにより折り畳み厚さも薄くなることによりコンパクト化がはかられ、しかも比較的軽量であるため持ち運びも容易である。又、使用時には玄関先や道路脇等で各パネルを伸長して底面開放形の矩形ボックス本体を組立て、ゴミが充填されたゴミ収集袋を覆うように被せて、正面パネル、背面パネル及び両側面パネルの各下面と地面との間に隙間ができないように立設した後、蓋板パネルを倒して上面開口部を閉鎖するだけで、ゴミ収集袋を当該ボックス形カバーで完全に保護することができるので、当該カバーの組立て、設置を多大な労力を要することなく、簡易迅速に行うことができる。又、この折畳み式ボックス形カバーの使用中は、当該ボックス形カバーが転倒したり蓋板パネルが開かない限り、ゴミ収集袋がカラスなどに襲撃されることはほとんどなく、特にカラス対策としては極めて有効性に富むものである。さらに、本発明の折畳み式ボックス形カバーは、各パネルに軽量アルミ複合材や合成樹脂製板等を用いることにより、パンチング加工が容易であるのみならず、軽量でかつ優れた耐久性を期待でき、コスト的にも高くつくことがない。又、本発明の折畳み式ボックス形カバーは、前記のように各パネルを折り畳んで薄い厚さにすることができるので保管スペースも狭くて済む。又、本発明は、折畳み式ボックス形カバーを構成する正面パネル、背面パネル、両側面パネル及び蓋板パネルに、パンチング加工されたパネルを採用することにより、適度な目隠し効果により当該ボックス形カバー内の内容物（ゴミ収集袋等）を目隠しできるので、ゴミ収集日に各家庭の玄関先や道路脇等に一斉にゴミ収集袋を出しても町の美観、景観等が損なわれることもない。さらに、本発明の折畳み式ボックス形カバーは、その設置に際してパンチング孔を利用して周辺の壁やフェンス等に紐やワイヤなどで固定することで、転倒による危険、盗難等の可能性も解消することができる。
【図面の簡単な説明】
【００１０】
【図１】本発明の一実施形態を示す折畳み式ボックス形カバーの伸長使用状態の斜視図である。
【図２】図１に示す折畳み式ボックス形カバーのヒンジ連結部分を一部拡大して示す斜視図である。
【図３】図１に示す折畳み式ボックス形カバーの折り畳み途中の状態を示す斜視図である。
【図４】図１に示す折畳み式ボックス形カバーを折り畳んだ状態を示す斜視図である。
【発明を実施するための形態】
【００１１】
図１に示す折畳み式ボックス形カバーにおいて、１は矩形ボックス本体、２は正面パネル、３は背面パネル、４は側面パネル、５は蓋板パネル、６はパンチング孔、７は結束バンド、８は開閉用把手、９は持ち運び用把手をそれぞれ示す。
【００１２】
即ち、図１に示す折畳み式ボックス形カバーは、底面（床）開放形でかつ上面開閉形の折畳み式ボックス形カバーであり、その構造は、全面にパンチング加工が施された正面パネル２、背面パネル３、谷折り屈曲自在となした２枚一対の分割パネル４−１からなる側面パネル４とで構成された矩形ボックス本体１と、該矩形ボックス本体の上面開口部上端に跳ね上げ開閉自在に連結された蓋板パネル５とから構成されている。各パネルは、図示のようにパネル全体にわたってパンチング孔６が施された軽量アルミ複合材や合成樹脂製板等で製作されている。ここで、各パネルにパンチング孔６を施したのは、当該カバー内のゴミ収集袋を見えにくくするための目隠し効果を得るためと、臭気がカバー内にこもるのを防止するための通気性を確保するためである。なお、各パネルを軽量アルミ複合材や合成樹脂製板等で製作するのは、パンチング加工が容易であるのみならず、軽量でかつ優れた耐久性を期待でき、コスト的にも高くつくことがないためである。又、パンチング孔の形状としては、特に限定するものではなく、円形以外の各種形状（矩形、多角形、楕円形等）でもよいことはいうまでもない。
【００１３】
本実施形態にあっては、前記矩形ボックス本体１の側面パネル４は、２枚一対の分割パネル４−１の相対向する側端縁を複数の結束バンド７で幅方向内側に谷折り屈曲自在にヒンジ連結して一枚状とし、その正面側と背面側の側端縁をそれぞれ正面パネル２及び背面パネル３の端縁部に複数の結束バンド７でヒンジ連結して、正面パネル２、背面パネル３及び側面パネル４をそれぞれ内側に重合折り畳み自在とした底面（床）開放形の矩形ボックス本体１を形成するとともに、前記背面パネル３の上端に蓋板パネル５の一端縁を複数の結束バンド７で跳ね上げ開閉自在に連結して構成してある。ここで、正面パネル２、背面パネル３、側面パネル４及び蓋板パネル５をヒンジ連結する手段として例示した結束バンド７による方法としては、図２にその一部を拡大して示すように、各パネルに形成されたパンチング孔６に結束バンド７を通してヒンジ連結する方法を用いることができる。なお、結束バンド７に替えて、紐、ワイヤ、チェーン等を用いてもよいことはいうまでもない。
【００１４】
又、蓋板パネル５の開閉用に使用する開閉用把手８は該蓋板パネル５の連結側と反対側の端縁部に、当該カバーの持ち運び用に使用する持ち運び用把手９は該蓋板パネル５の背面パネル３の上端縁側に、それぞれパンチング孔６を利用して取り付けられ、詳しくは開閉用把手８はチェーン８−１とリング状止め金具８−２により、持ち運び用把手９はチェーン９−１とリング状止め金具９−２により取り付けられている。
【００１５】
なお、前記２枚一対の分割パネル４−１の相対向する側端縁を複数の結束バンド７で幅方向内側に谷折り屈曲自在にヒンジ連結して一枚状となした側面パネル４において、特に必要とするものではないが、当該側面パネル４が幅方向内側ではなく外側方向に突出して折り畳まれないようにするための返り止め１０を一方のパネル４−１に取り付けてもよい。
【００１６】
上記構成の折畳み式ボックス形カバーは、使用時には図１に示すように蓋板パネル５を上方に跳ね上げた状態で、正面パネル２、背面パネル３及び両側面パネル４をそれぞれ伸長して底面（床面）開放形の矩形ボックス本体１を組立てる。次いで、玄関先や道路脇等に置いたゴミが充填されたゴミ収集袋を覆うように矩形ボックス本体１を被せて、正面パネル２、背面パネル３及び両側面パネル４の各下面と地面との間に隙間ができないように立設した後、蓋板パネル５を倒して上面開口部を閉鎖する。これにより、ゴミ収集袋は当該ボックス形カバーで完全に保護されるので、当該ボックス形カバーが転倒したり蓋板パネル５が開かない限り、ゴミ収集袋がカラスなどに襲撃されることはほとんどない。又、折畳み式ボックス形カバーを構成する正面パネル２、背面パネル３、両側面パネル４及び蓋板パネル５には、パンチング加工されたパネルを採用しているので、適度な目隠し効果により当該ボックス形カバー内の内容物（ゴミ収集袋等）を目隠しできる結果、ゴミ収集日に各家庭の玄関先や道路脇等に一斉にゴミ収集袋を出しても町の美観、景観等が損なわれることがないのみならず、その設置に際してパンチング孔６を利用して周辺の壁やフェンス等に紐やワイヤなどで固定することで、転倒による危険、盗難等の可能性も解消することができる。
【００１７】
一方、この折畳み式ボックス形カバーを片付ける場合は、図３にその折り畳み途中の状態を示すように、左右の側面パネル４の分割パネル４−１を内側に屈曲させて正面パネル２及び側面パネル４を背面パネル３側に重なるように折り畳み、続いて、矩形ボックス本体１を完全に折り畳んだ後、蓋板パネル５を正面パネル２の上に重ね合わせて折り畳む（図４参照）。このように折り畳まれたボックス形カバーは、折り畳み厚さが薄くコンパクト化されるので、カバーの組立て、設置、片付けを多大な労力を要することなく、簡易迅速に行うことができる。さらに、保管も容易で、かつ保管スペースも比較的小さくてすむ。
【００１８】
又、この折畳み式ボックス形カバーをゴミ収集日に使用する場合は、前記したように折畳み式ボックス形カバーの正面パネル２、背面パネル３及び両側面パネル４をそれぞれ伸長して底面（床面）開放形の矩形ボックス本体１を組立てて、玄関先や道路脇等に置いたゴミが充填されたゴミ収集袋を覆うように矩形ボックス本体１を被せて立設した後、蓋板パネル５を倒して上面開口部を閉鎖する。
【００１９】
なお、前記した本発明の折畳み式ボックス形カバーにおいては、正面パネル２の高さ幅を背面パネル３より短くし、それに応じて側面パネル４の分割パネル４−１のサイズを変えて、矩形ボックス本体１の開口部上面を傾斜させた構造としてもよい。又、矩形ボックス本体１を構成する正面パネル２、背面パネル３及び側面パネル４と、蓋板パネル５は、パンチングが施された軽量アルミ複合材単独のみならず、軽量アルミ複合材と合成樹脂製板とを組合せて構成してもよい。さらに、本発明の折畳み式ボックス形カバーは、各パネルの結束バンドを外して分解することにより、複数枚のパネル単体として重ねて保管しておくこともできる。
【符号の説明】
【００２０】
１  矩形ボックス本体
２  正面パネル
３  背面パネル
４  側面パネル
４−１  分割パネル
５  蓋板パネル
６  パンチング孔
７  結束バンド
８  開閉用把手
８−１、９−１  チェーン
８−２  リング状止め金具
９  持ち運び用把手
９−２  リング状止め金具
１０  返り止め
【図１】
2020040756.tif 000003
【図２】
2020040756.tif 000004
【図３】
2020040756.tif 000005
【図４】
2020040756.tif 000006
【手続補正書】
【提出日】令和1年8月27日(2019.8.27)
【手続補正１】
【補正対象書類名】特許請求の範囲
【補正対象項目名】全文
【補正方法】変更
【補正の内容】
【特許請求の範囲】
【請求項１】
ゴミ収集袋の保護カバーとして使用する底面開放のゴミ収集袋被せ形であって、多数のパンチングが施された多孔板からなる正面パネル、背面パネル、両側面パネル及び蓋板パネルがそれぞれ重合して折り畳めるようにヒンジ連結されて、底面開放の蓋付きの矩形ボックス本体が構成され、前記両側面パネルは片側２枚一対の分割パネルの相対向する側縁部を幅方向内側に谷折り屈曲自在にヒンジ連結され、背面パネルの上端に前記蓋板パネルが跳ね上げ開閉自在にヒンジ連結された構造となしたことを特徴とする折畳み式ボックス形カバー。
【請求項２】
前記折畳み式ボックス形カバーを構成する正面パネル、背面パネル、両側面パネル及び蓋板パネルには、パンチングが施された軽量アルミニウム製板、同じくパンチングが施された合成樹脂製板のいずれかを単独もしくは組み合わせて用いることを特徴とする請求項１に記載の折畳み式ボックス形カバー。
【請求項３】
前記折畳み式ボックス形カバーを構成する正面パネル、背面パネル、両側面パネル及び蓋板パネルのヒンジ連結手段として、各パネルのパンチング孔を利用し結束バンド、チェーン、ワイヤ、紐のいずれかを用いてヒンジ連結する方式を用いることを特徴とする請求項１又は２に記載の折畳み式ボックス形カバー。
【手続補正２】
【補正対象書類名】明細書
【補正対象項目名】全文
【補正方法】変更
【補正の内容】
【発明の詳細な説明】
【技術分野】
【０００１】
本発明は、主として一般家庭用のゴミ収集袋を対象にした折畳み式ボックス形カバーに係り、より詳しくは例えばゴミ収集日に玄関先や道路脇等に出されるゴミ収集袋の特にカラスよけとして極めて有効で、かつ衛生的で、しかも折り畳み自在のボックス形カバーに関するものである。
【背景技術】
【０００２】
従来、特に一般家庭用のゴミは、専用のゴミ収集袋に収納してゴミ収集日（曜日等）に玄関先や道路脇等に出しておくのが一般的であり、又、マンション等の集合住宅の場合は専用のボックス型ゴミステーション（特開２００１−２１４５２０号公報、特許第３６３７１９３号公報等参照）を利用するのが一般的である。
このうち、専用のゴミ収集袋にゴミを収納してゴミ収集日に玄関先や道路脇等に出しておく場合、ゴミが充填されたゴミ収集袋を、口を閉じた状態で玄関先や道路脇等に出しておくと、カラスなどに襲撃されて袋の中のゴミが散乱して放置された状態となることがあり、ごみ収集作業に支障をきたすのみならず、衛生上も好ましくない。そこで、カラスなどによるゴミ収集袋の襲撃やゴミの散乱を防ぐ対策として、例えば玄関先や道路脇に置いたゴミ収集袋に市販されているネットを被せておく方法がある。しかし、特にカラス対策としてとられる前記ネットを用いる方法は、ゴミ収集袋に被せるようにネットをかけておくだけではカラスによりネットが破られたり取り除かれて、袋内のゴミがあさられて散乱することがあり、その対策として何らかの手段でネットを固定したり簡単に破られないようにする必要がある。一方、ボックス型ゴミステーションの場合は、一つのゴミステーションに複数のゴミ収集袋を投入して収納できる大型のゴミ収集ステーションであり、前記したゴミ収集日にゴミ収集袋を各家庭の玄関先や道路脇等に出して置く方式とはその機能を異にするものである。
【先行技術文献】
【特許文献】
【０００３】
【特許文献１】特許第３６３７１９３号公報
【特許文献２】特開２００１−２１４５２０号公報
【発明の概要】
【発明が解決しようとする課題】
【０００４】
前記した専用のゴミ収集袋にゴミを収納してゴミ収集日に玄関先や道路脇等に出しておくゴミ回収方式と、専用の大型のボックス型ゴミステーションによるゴミ回収方式のうち、特に前者の方式、即ち、ゴミ収集袋を玄関先や道路脇等に出しておくゴミ回収方式の場合の、カラスなどによるゴミ収集袋の襲撃やゴミの散乱を防ぐ対策としてとられているネットを用いる方法は、前記のように単にネットを被せておくだけではその効果を十分に発揮することができない上、カラスなどによりネットが破られたり取り除かれないように何等かの対策をこうじる必要があるなど、特にカラス対策としては有効性に欠け不十分である。又、ゴミ収集日に各家庭の玄関先や道路脇等に一斉にゴミ収集袋を出しておく方式は、前記したようにカラスなどに襲撃されて袋の中のゴミが散乱して放置されたりすると、ごみ収集作業に支障をきたすのみならず、衛生面でも好ましくないという問題に加え、景観上も好ましくないといった問題がある。
【０００５】
本発明は、前記した従来の問題を解消すべくなされたもので、専用のゴミ収集袋にゴミを収納して玄関先や道路脇等に出しておくゴミ回収方式における、特にカラスなどによるゴミ収集袋の襲撃やゴミの散乱を防ぐ対策として極めて有効性に富み、かつ衛生面や景観上などの問題も解消できる折畳み式ボックス形カバーを提供しようとするものである。
【課題を解決するための手段】
【０００６】
本発明に係る折畳み式ボックス形カバーは、ゴミ収集袋の保護カバーとして使用する底面開放のゴミ収集袋被せ形であって、多数のパンチングが施された多孔板からなる正面パネル、背面パネル、両側面パネル及び蓋板パネルがそれぞれ重合して折り畳めるようにヒンジ連結されて、底面開放の蓋付きの矩形ボックス本体が構成され、前記両側面パネルは片側２枚一対の分割パネルの相対向する側縁部を幅方向内側に谷折り屈曲自在にヒンジ連結され、背面パネルの上端に蓋板パネルが跳ね上げ開閉自在にヒンジ連結された構造となしたことを特徴とするものである。
【０００７】
又、前記蓋付きの矩形ボックス本体を構成する正面パネル、背面パネル、両側面パネル及び蓋板パネルには、パンチングが施された軽量アルミニウム製板、同じくパンチングが施された合成樹脂製板のいずれかを単独もしくは組み合わせて用いることを好ましい態様とするものである。
【０００８】
さらに、前記蓋付きの矩形ボックス本体を構成する正面パネル、背面パネル、両側面パネル及び蓋板パネルのヒンジ連結手段としては、各パネルのパンチング孔を利用し結束バンド、チェーン、ワイヤ、紐のいずれかを用いてヒンジ連結する方式を用いることを好ましい態様とするものである。
【発明の効果】
【０００９】
本発明の折畳み式ボックス形カバーは、全面にパンチング加工が施された正面パネル、背面パネル、両側面パネルとから構成される底面（床面）開放形の矩形ボックス本体と該ボックス本体の上面開口部を開閉する蓋板パネルがそれぞれ重合して折り畳めるようにパンチング孔と結束バンドなどによりヒンジ連結されて構成されているので、当該ボックス形カバーの組み立て、折り畳みが簡易迅速にかつ確実に行えるとともに、各パネルを重ね合わせることにより折り畳み厚さも薄くなることによりコンパクト化がはかられ、しかも比較的軽量であるため持ち運びも容易である。又、使用時には玄関先や道路脇等で各パネルを伸長して底面開放形の矩形ボックス本体を組立て、ゴミが充填されたゴミ収集袋を覆うように被せて、正面パネル、背面パネル及び両側面パネルの各下面と地面との間に隙間ができないように立設した後、蓋板パネルを倒して上面開口部を閉鎖するだけで、ゴミ収集袋を当該ボックス形カバーで完全に保護することができるので、当該カバーの組立て、設置を多大な労力を要することなく、簡易迅速に行うことができる。又、この折畳み式ボックス形カバーの使用中は、当該ボックス形カバーが転倒したり蓋板パネルが開かない限り、ゴミ収集袋がカラスなどに襲撃されることはほとんどなく、特にカラス対策としては極めて有効性に富むものである。さらに、本発明の折畳み式ボックス形カバーは、各パネルに軽量アルミニウム製板や合成樹脂製板等を用いることにより、パンチング加工が容易であるのみならず、軽量でかつ優れた耐久性を期待でき、コスト的にも高くつくことがない。又、本発明の折畳み式ボックス形カバーは、前記のように各パネルを折り畳んで薄い厚さにすることができるので保管スペースも狭くて済む。又、本発明は、折畳み式ボックス形カバーを構成する正面パネル、背面パネル、両側面パネル及び蓋板パネルに、パンチング加工されたパネルを採用することにより、適度な目隠し効果により当該ボックス形カバー内の内容物（ゴミ収集袋等）を目隠しできるので、ゴミ収集日に各家庭の玄関先や道路脇等に一斉にゴミ収集袋を出しても町の美観、景観等が損なわれることもない。さらに、本発明の折畳み式ボックス形カバーは、その設置に際してパンチング孔を利用して周辺の壁やフェンス等に紐やワイヤなどで固定することで、転倒による危険、盗難等の可能性も解消することができる。
【図面の簡単な説明】
【００１０】
【図１】本発明の一実施形態を示す折畳み式ボックス形カバーの伸長使用状態の斜視図である。
【図２】図１に示す折畳み式ボックス形カバーのヒンジ連結部分を一部拡大して示す斜視図である。
【図３】図１に示す折畳み式ボックス形カバーの折り畳み途中の状態を示す斜視図である。
【図４】図１に示す折畳み式ボックス形カバーを折り畳んだ状態を示す斜視図である。
【発明を実施するための形態】
【００１１】
図１に示す折畳み式ボックス形カバーにおいて、１は矩形ボックス本体、２は正面パネル、３は背面パネル、４は側面パネル、５は蓋板パネル、６はパンチング孔、７は結束バンド、８は開閉用把手、９は持ち運び用把手をそれぞれ示す。
【００１２】
即ち、図１に示す折畳み式ボックス形カバーは、底面（床）開放形でかつ上面開閉形の折畳み式ボックス形カバーであり、その構造は、全面にパンチング加工が施された正面パネル２、背面パネル３、谷折り屈曲自在となした２枚一対の分割パネル４−１からなる側面パネル４とで構成された矩形ボックス本体１と、該矩形ボックス本体の上面開口部上端に跳ね上げ開閉自在に連結された蓋板パネル５とから構成されている。各パネルは、図示のようにパネル全体にわたってパンチング孔６が施された軽量アルミニウム製板や合成樹脂製板等で製作されている。ここで、各パネルにパンチング孔６を施したのは、当該カバー内のゴミ収集袋を見えにくくするための目隠し効果を得るためと、臭気がカバー内にこもるのを防止するための通気性を確保するためである。なお、各パネルを軽量アルミニウム製板や合成樹脂製板等で製作するのは、パンチング加工が容易であるのみならず、軽量でかつ優れた耐久性を期待でき、コスト的にも高くつくことがないためである。又、パンチング孔の形状としては、特に限定するものではなく、円形以外の各種形状（矩形、多角形、楕円形等）でもよいことはいうまでもない。
【００１３】
本実施形態にあっては、前記矩形ボックス本体１の側面パネル４は、２枚一対の分割パネル４−１の相対向する側端縁を複数の結束バンド７で幅方向内側に谷折り屈曲自在にヒンジ連結して一枚状とし、その正面側と背面側の側端縁をそれぞれ正面パネル２及び背面パネル３の端縁部に複数の結束バンド７でヒンジ連結して、正面パネル２、背面パネル３及び側面パネル４をそれぞれ内側に重合折り畳み自在とした底面（床）開放形の矩形ボックス本体１を形成するとともに、前記背面パネル３の上端に蓋板パネル５の一端縁を複数の結束バンド７で跳ね上げ開閉自在に連結して構成してある。ここで、正面パネル２、背面パネル３、側面パネル４及び蓋板パネル５をヒンジ連結する手段として例示した結束バンド７による方法としては、図２にその一部を拡大して示すように、各パネルに形成されたパンチング孔６に結束バンド７を通してヒンジ連結する方法を用いることができる。なお、結束バンド７に替えて、紐、ワイヤ、チェーン等を用いてもよいことはいうまでもない。
【００１４】
又、蓋板パネル５の開閉用に使用する開閉用把手８は該蓋板パネル５の連結側と反対側の端縁部に、当該カバーの持ち運び用に使用する持ち運び用把手９は該蓋板パネル５の背面パネル３の上端縁側に、それぞれパンチング孔６を利用して取り付けられ、詳しくは開閉用把手８はチェーン８−１とリング状止め金具８−２により、持ち運び用把手９はチェーン９−１とリング状止め金具９−２により取り付けられている。
【００１５】
なお、前記２枚一対の分割パネル４−１の相対向する側端縁を複数の結束バンド７で幅方向内側に谷折り屈曲自在にヒンジ連結して一枚状となした側面パネル４において、特に必要とするものではないが、当該側面パネル４が幅方向内側ではなく外側方向に突出して折り畳まれないようにするための返り止め１０を一方のパネル４−１に取り付けてもよい。
【００１６】
上記構成の折畳み式ボックス形カバーは、使用時には図１に示すように蓋板パネル５を上方に跳ね上げた状態で、正面パネル２、背面パネル３及び両側面パネル４をそれぞれ伸長して底面（床面）開放形の矩形ボックス本体１を組立てる。次いで、玄関先や道路脇等に置いたゴミが充填されたゴミ収集袋を覆うように矩形ボックス本体１を被せて、正面パネル２、背面パネル３及び両側面パネル４の各下面と地面との間に隙間ができないように立設した後、蓋板パネル５を倒して上面開口部を閉鎖する。これにより、ゴミ収集袋は当該ボックス形カバーで完全に保護されるので、当該ボックス形カバーが転倒したり蓋板パネル５が開かない限り、ゴミ収集袋がカラスなどに襲撃されることはほとんどない。又、折畳み式ボックス形カバーを構成する正面パネル２、背面パネル３、両側面パネル４及び蓋板パネル５には、パンチング加工されたパネルを採用しているので、適度な目隠し効果により当該ボックス形カバー内の内容物（ゴミ収集袋等）を目隠しできる結果、ゴミ収集日に各家庭の玄関先や道路脇等に一斉にゴミ収集袋を出しても町の美観、景観等が損なわれることがないのみならず、その設置に際してパンチング孔６を利用して周辺の壁やフェンス等に紐やワイヤなどで固定することで、転倒による危険、盗難等の可能性も解消することができる。
【００１７】
一方、この折畳み式ボックス形カバーを片付ける場合は、図３にその折り畳み途中の状態を示すように、左右の側面パネル４の分割パネル４−１を内側に屈曲させて正面パネル２及び側面パネル４を背面パネル３側に重なるように折り畳み、続いて、矩形ボックス本体１を完全に折り畳んだ後、蓋板パネル５を正面パネル２の上に重ね合わせて折り畳む（図４参照）。このように折り畳まれたボックス形カバーは、折り畳み厚さが薄くコンパクト化されるので、カバーの組立て、設置、片付けを多大な労力を要することなく、簡易迅速に行うことができる。さらに、保管も容易で、かつ保管スペースも比較的小さくてすむ。
【００１８】
又、この折畳み式ボックス形カバーをゴミ収集日に使用する場合は、前記したように折畳み式ボックス形カバーの正面パネル２、背面パネル３及び両側面パネル４をそれぞれ伸長して底面（床面）開放形の矩形ボックス本体１を組立てて、玄関先や道路脇等に置いたゴミが充填されたゴミ収集袋を覆うように矩形ボックス本体１を被せて立設した後、蓋板パネル５を倒して上面開口部を閉鎖する。
【００１９】
なお、前記した本発明の折畳み式ボックス形カバーにおいては、正面パネル２の高さ幅を背面パネル３より短くし、それに応じて側面パネル４の分割パネル４−１のサイズを変えて、矩形ボックス本体１の開口部上面を傾斜させた構造としてもよい。又、矩形ボックス本体１を構成する正面パネル２、背面パネル３及び側面パネル４と、蓋板パネル５は、パンチングが施された軽量アルミニウム製板単独のみならず、軽量アルミニウム製板と合成樹脂製板とを組合せて構成してもよい。さらに、本発明の折畳み式ボックス形カバーは、各パネルの結束バンドを外して分解することにより、複数枚のパネル単体として重ねて保管しておくこともできる。
【符号の説明】
【００２０】
１  矩形ボックス本体
２  正面パネル
３  背面パネル
４  側面パネル
４−１  分割パネル
５  蓋板パネル
６  パンチング孔
７  結束バンド
８  開閉用把手
８−１、９−１  チェーン
８−２  リング状止め金具
９  持ち運び用把手
９−２  リング状止め金具
１０  返り止め